【手続補正書】
【提出日】平成21年6月10日(2009.6.10)
【手続補正１】
【補正対象書類名】特許請求の範囲
【補正対象項目名】全文
【補正方法】変更
【補正の内容】
【特許請求の範囲】
【請求項１】
データを記憶するメモリと、
複数のグループに分割され、前記メモリに対してアクセス可能な複数の処理手段と、
前記複数の処理手段の間に設定された優先順位に基づいて前記複数の処理手段による前記メモリに対するアクセスを制御する制御手段とを有し、
前記制御手段は、一つの前記グループにおける複数の前記処理手段のうちのいずれかの処理手段の前記メモリに対するアクセス要求の拒絶回数に応じて、前記アクセス要求が拒絶された処理手段を含む一つのグループの優先順位を他のグループよりも高くすることを特徴とするデータ処理装置。
【請求項２】
前記制御手段は、前記一つのグループにおける処理手段のアクセス要求がｎ回拒絶されると、他のグループに対する前記一つのグループの優先順位を上げ、前記優先順位を上げた結果、前記一つのグループにおける処理手段のアクセス要求がｍ回許可されると、他のグループに対する前記一つのグループの優先順位を下げることを特徴とする請求項１に記載のデータ処理装置。
【請求項３】
前記制御手段は、同じグループの複数の前記処理手段のアクセス要求が競合した場合、そのグループ内で最も優先順位が高い処理手段のアクセス要求を許可することを特徴とする請求項１または２に記載のデータ処理装置。
【請求項４】
前記制御手段は、前記一つのグループの優先順位を高くした後、前記一つのグループ内で最も優先順位が高い処理手段のアクセス要求が許可されると、前記一つのグループ内での前記アクセス要求が許可された処理手段の優先順位を下げることを特徴とする請求項３に記載のデータ処理装置。
【請求項５】
前記制御手段は、前記一つのグループにおける処理手段のアクセス要求がｎ回拒絶されると、前記一つのグループの優先順位を前記複数のグループの中で最も高くすることを特徴とする請求項１から４の何れか１項に記載のデータ処理装置。
【請求項６】
前記制御手段は、前記複数の処理手段による前記メモリへのアクセスレートの合計に応じて、前記グループの優先順位を変更するか否かを制御することを特徴とする請求項１から５の何れか１項に記載のデータ処理装置。
【請求項７】
前記制御手段は、前記複数の処理手段による前記メモリへのアクセスレートの合計が閾値よりも高い場合に、前記拒絶回数に応じてグループの優先順位を変更し、前記アクセスレートの合計が前記閾値よりも低いときには前記グループの優先順位を変更せずに前記メモリに対するアクセスを制御することを特徴とする請求項６に記載のデータ処理装置。
【請求項８】
データを記憶するメモリと、
リアルタイム処理が必要な第１の処理手段とリアルタイム処理が不要な第２の処理手段とを含み、前記メモリに対してアクセス可能な複数の処理手段と、
前記複数の処理手段を前記第１の処理手段からなる第１のグループと前記第２の処理手段からなる第２のグループとに分類し、前記第１のグループと第２のグループの間に設定された優先順位に基づいて前記複数の処理手段による前記メモリに対するアクセスを制御する制御手段とを有し、
前記制御手段は、前記第１のグループよりも優先順位が低い第２のグループにおける前記第２の処理手段の前記メモリに対するアクセス要求がｎ回拒絶されると、前記第２のグループの優先順位を前記第１のグループよりも高くすることを特徴とするデータ処理装置。
【請求項９】
データを記憶するメモリと、複数のグループに分割され、前記メモリに対してアクセス可能な複数の処理手段とを有する装置のデータ処理方法であって、
前記複数の処理手段の間に設定された優先順位に基づいて前記複数の処理手段による前記メモリに対するアクセスを制御する制御ステップを有し、
前記制御ステップは、一つの前記グループにおける複数の前記処理手段のうちのいずれかの処理手段の前記メモリに対するアクセス要求の拒絶回数に応じて、前記アクセス要求が拒絶された処理手段を含む一つのグループの優先順位を他のグループよりも高くすることを特徴とするデータ処理方法。
【請求項１０】
データを記憶するメモリと、リアルタイム処理が必要な第１の処理手段とリアルタイム処理が不要な第２の処理手段とを含み、前記メモリに対してアクセス可能な複数の処理手段とを有する装置のデータ処理方法であって、
前記複数の処理手段を前記第１の処理手段からなる第１のグループと前記第２の処理手段からなる第２のグループとに分類し、前記第１のグループと第２のグループの間に設定された優先順位に基づいて前記複数の処理手段による前記メモリに対するアクセスを制御する制御ステップを有し、
前記制御ステップは、前記第１のグループよりも優先順位が低い第２のグループにおける前記第２の処理手段の前記メモリに対するアクセス要求がｎ回拒絶されると、前記第２のグループの優先順位を前記第１のグループよりも高くすることを特徴とするデータ処理方法。
【手続補正２】
【補正対象書類名】明細書
【補正対象項目名】０００７
【補正方法】変更
【補正の内容】
【０００７】
本発明のデータ処理装置は、データを記憶するメモリと、複数のグループに分割され、前記メモリに対してアクセス可能な複数の処理手段と、前記複数の処理手段の間に設定された優先順位に基づいて前記複数の処理手段による前記メモリに対するアクセスを制御する制御手段とを有し、前記制御手段は、一つの前記グループにおける複数の前記処理手段のうちのいずれかの処理手段の前記メモリに対するアクセス要求の拒絶回数に応じて、前記アクセス要求が拒絶された処理手段を含む一つのグループの優先順位を他のグループよりも高くすることを特徴とする。
【手続補正３】
【補正対象書類名】明細書
【補正対象項目名】０００８
【補正方法】変更
【補正の内容】
【０００８】
また、本発明のデータ処理装置は、データを記憶するメモリと、リアルタイム処理が必要な第１の処理手段とリアルタイム処理が不要な第２の処理手段とを含み、前記メモリに対してアクセス可能な複数の処理手段と、前記複数の処理手段を前記第１の処理手段からなる第１のグループと前記第２の処理手段からなる第２のグループとに分類し、前記第１のグループと第２のグループの間に設定された優先順位に基づいて前記複数の処理手段による前記メモリに対するアクセスを制御する制御手段とを有し、前記制御手段は、前記第１のグループよりも優先順位が低い第２のグループにおける前記第２の処理手段の前記メモリに対するアクセス要求がｎ回拒絶されると、前記第２のグループの優先順位を前記第１のグループよりも高くすることを特徴とする。
【手続補正４】
【補正対象書類名】明細書
【補正対象項目名】０００９
【補正方法】変更
【補正の内容】
【０００９】
また、本発明のデータ処理方法は、データを記憶するメモリと、複数のグループに分割され、前記メモリに対してアクセス可能な複数の処理手段とを有する装置のデータ処理方法であって、前記複数の処理手段の間に設定された優先順位に基づいて前記複数の処理手段による前記メモリに対するアクセスを制御する制御ステップを有し、前記制御ステップは、一つの前記グループにおける複数の前記処理手段のうちのいずれかの処理手段の前記メモリに対するアクセス要求の拒絶回数に応じて、前記アクセス要求が拒絶された処理手段を含む一つのグループの優先順位を他のグループよりも高くすることを特徴とする。
【手続補正５】
【補正対象書類名】明細書
【補正対象項目名】００１０
【補正方法】変更
【補正の内容】
【００１０】
また、本発明のデータ処理方法は、データを記憶するメモリと、リアルタイム処理が必要な第１の処理手段とリアルタイム処理が不要な第２の処理手段とを含み、前記メモリに対してアクセス可能な複数の処理手段とを有する装置のデータ処理方法であって、前記複数の処理手段を前記第１の処理手段からなる第１のグループと前記第２の処理手段からなる第２のグループとに分類し、前記第１のグループと第２のグループの間に設定された優先順位に基づいて前記複数の処理手段による前記メモリに対するアクセスを制御する制御ステップを有し、前記制御ステップは、前記第１のグループよりも優先順位が低い第２のグループにおける前記第２の処理手段の前記メモリに対するアクセス要求がｎ回拒絶されると、前記第２のグループの優先順位を前記第１のグループよりも高くすることを特徴とする。